(57)【要約】【課題】  本発明は降雨時に路盤層に所定量の水を貯水して、青天が続いても潅水することなく、植物を育成することができる、植物の育成に手数がかからず、維持管理費も著しく低減させることができ、かつ車の走行が可能な緑化舗装路を得るにある。【解決手段】  路床の上面に形成した保水性土壌を用いた路盤層と、この路盤層に所定量の水を貯水できるように設けられた多数個の貯水容器あるいは防水シートを容器状に配置した貯水手段と、路盤層の上面に砂を用いて形成したサンドクッション層と、このサンドクッション層の上面に植栽用目地部が形成でき、かつ車の走行ができるように目地スペーサーを介して保水等のブロックを敷設した保水等のブロック層と、この保水等のブロック層の植栽用目地部に充填された栽培土および該栽培土に植えられた芝等の植物とからなる緑化層とで緑化舗装路を構成している。【選択図】  図２
2005133458.tif 000002
【特許請求の範囲】
【請求項１】
路床の上面に形成した保水性土壌を用いた路盤層と、この路盤層に所定量の水を貯水できるように設けられた多数個の貯水容器あるいは防水シートを容器状に配置した貯水手段と、前記路盤層の上面に砂を用いて形成したサンドクッション層と、このサンドクッション層の上面に植栽用目地部が形成でき、かつ車の走行ができるように目地スペーサーを介して保水等のブロックを敷設した保水等のブロック層と、この保水等のブロック層の植栽用目地部に充填された栽培土および、該栽培土に植えられた芝等の植物とからなる緑化層とからなることを特徴とする緑化舗装路。
【請求項２】
路床の上面に形成した多孔質礫状人工土壌を用いた路盤層と、この路盤層に所定量の水を貯水できるように設けられた多数個の貯水容器あるいは防水シートを容器状に配置した貯水手段と、前記路盤層の上面に保水剤を含む砂を用いて形成したサンドクッション層と、このサンドクッション層の上面に植栽用目地部が形成でき、かつ車の走行ができるように目地スペーサーを介して保水等のブロックを敷設した保水等のブロック層と、この保水等のブロック層の植栽用目地部に充填された栽培土および、該栽培土に植えられた芝等の植物とからなる緑化層とからなることを特徴とする緑化舗装路。
【請求項３】
路床の上面に形成した保水剤を含む保水性土壌を用いた路盤層と、この路盤層に所定量の水を貯水できるように設けられた多数個の貯水容器あるいは防水シートを容器状に配置した貯水手段と、前記路盤層の上面に敷設した分離機能として用いた不織布と、この不織布の上面に砂と保水剤を用いて形成したサンドクッション層と、このサンドクッション層の上面に植栽用目地部が形成でき、かつ車の走行ができるように目地スペーサーを介して保水ブロックを敷設した保水ブロック層と、この保水ブロック層の植栽用目地部に充填された栽培土および該栽培土に植えられた芝等の植物とからなる緑化層とからなることを特徴とする緑化舗装路。
【請求項４】
貯水手段は所定間隔で配置されていることを特徴とする請求項１、２、３いずれかに記載の緑化舗装路。
【発明の詳細な説明】
【技術分野】
【０００１】
本発明は一般車両の駐車場、工場構内の通路、遊歩道、公園園路等に使用することができる緑化舗装路に関する。
【背景技術】
【０００２】
従来の緑化舗装路は、路床の上面に土壌改良剤を混合した黒土を用いた路盤層と、この路盤層の上面に砂を用いて形成したサンドクッション層と、このサンドクッション層の上面に植栽用目地部が形成できるように目地スペーサーを介して保水ブロックを敷設した保水ブロック層と、この保水ブロック層の植栽用目地部に充填された栽培土および、該栽培土に植えられた芝等の植物とで構成されている。
【０００３】
したがって、植物は路盤層の水分で育成するため、青天が続くと潅水しなければならず、手数がかかり、維持管理費がかかるという欠点があった。
【特許文献１】特になし
【発明の開示】
【発明が解決しようとする課題】
【０００４】
本発明は以上のような従来の欠点に鑑み、降雨時に路盤層に所定量の水を貯水して、青天が続いても潅水することなく、植物を育成することができる、植物の育成に手数がかからず、維持管理費も著しく低減させることができ、かつ車の走行が可能な緑化舗装路を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は路床の上面に形成した保水性土壌を用いた路盤層と、この路盤層に所定量の水を貯水できるように設けられた多数個の貯水容器あるいは防水シートを容器状に配置した貯水手段と、前記路盤層の上面に砂を用いて形成したサンドクッション層と、このサンドクッション層の上面に植栽用目地部が形成でき、かつ車の走行ができるように目地スペーサーを介して保水等のブロックを敷設した保水等のブロック層と、この保水等のブロック層の植栽用目地部に充填された栽培土および、該栽培土に植えられた芝等の植物とからなる緑化層とで緑化舗装路を構成している。
【発明の効果】
【０００７】
以上の説明から明らかなように、本発明にあっては次に列挙する効果が得られる。
【０００８】
（１）路盤層に所定量の水を貯水できるように設けられた多数個の貯水容器あるいは防水シートを容器状に配置した貯水手段を用いているので、降雨時に路盤層の貯水手段に所定量の水を貯水することができる。
したがって、青天が続いても貯水手段に貯水された水を植物に供給でき、植物が枯れるのを効率よく防止することができる。
【０００９】
（２）路盤層を保水性土壌を用いているので、路盤層を形成する保水性土壌に水を保水させておくことができる。
したがって、前記（１）とによって植物の育成に必要な水分を十分に確保することができる。
よって、潅水を行なうことなく植物を育成することができる。
なお、保水性土壌に保水剤を用いることにより、保水性土壌に水の保水と微細な気泡を保持させておくことができる。
【００１０】
（３）車の走行ができるように目地スペーサーを介して保水等のブロックを敷設した保水等のブロック層を用いているので、車が走行しても保水等のブロックが移動することなく、敷設状態を保つことができる。
したがって、維持管理が容易で、安価に行なうことができる。
【００１１】
（４）請求項２は前記（１）〜（３）と同様な効果が得られるとともに、多孔質礫状人工土壌を用いて路盤層を形成しているので、路盤層の形成作業が容易で、簡単な押し圧によって沈下しづらい路盤層にできる。
【００１２】
（５）請求項２は保水剤を含む砂を用いてサンドクッション層を形成しているので、サンドクッション層にも保水できる。
したがって、より効率よく植物を育成することができる。
【００１３】
（６）請求項３は前記（１）〜（５）と同様な効果が得られるとともに、路盤層の上面に敷設した不織布によつて分離機能を持たせることができる。
【発明を実施するための最良の形態】
【００１４】
以下、図面に示す本発明を実施するための最良の形態より、本発明を詳細に説明する。
【００１５】
図１ないし図９に示す本発明を実施するための最良の第１の形態において、１は屋外の乗用車専用や一般の車両の駐車場として使用される部位に設置された本発明の緑化舗装路で、この緑化舗装路１は路床２の上面に多孔質礫状人工土壌３を用いて、厚さが１００ｍｍ〜３００ｍｍとなるように形成した路盤層４と、この路盤層４に所定量の水を貯水できるように、前記路床２上に並列配置された貯水手段としての多数個の貯水容器５と、前記路盤層４の上面に必要に応じて敷設される分離機能として作用する不織布２８を介して設置された保水剤６を含む砂７を用いて、厚さが２０ｍｍ〜３０ｍｍとなるように形成されたサンドクッション層８と、このサンドクッション層８の上面に、例えば５０ｍｍの植栽用目地部９が形成でき、かつ車の走行ができるように目地スペーサー１０を介して、例えば１００ｍｍ×２００ｍｍで、厚さ寸法が８０ｍｍの保水機能を有するもの、あるいは保水機能を持たない保水等のブロック１１を敷設した保水等のブロック層１２と、この保水等のブロック層１２の植栽用目地部９に充填された栽培土１３および、該栽培土１３に植えられた芝等の植物１４とからなる緑化層１５とで構成されている。
なお、路盤層４の形成は路床２に並列状態で多数個の貯水容器５を位置させた後、貯水容器５内はもちろん、該貯水容器５が埋まるように多孔質礫状人工土壌３や人工土壌に保水剤６を混合したものを投入してならし、ローラー等で踏み固めて行なう。
その後、路盤層４の上面に保水剤６を散布してもよい。
【００１６】
前記貯水手段としての多数個の貯水容器５は、図５および図６に示すように角部を傾斜面に形成した合成樹脂材製の四角形状の、高さ寸法が５０ｍｍ〜１００ｍｍの貯水容器本体１６と、この貯水容器本体１６の底面中央部に一体形成されたチャンネル状の位置決め部材１７と、前記貯水容器本体１６の前記位置決め部材１７を除く部位の底面に一体形成された格子状の補強壁１８と、前記貯水容器本体１６を前後左右方向に上下方向より接続できるように外壁面１６ａ、１６ａ、１６ａ、１６ａにそれぞれ形成された複数個の係合片１９および係合凹部２０とで構成されている。
【００１７】
前記目地スペーサー１０は合成樹脂材で形成されたもので、図７ないし図９に示すようにベース板２１と、このベース板２１の一端部の保水ブロック支持部２２を除く部位に、保水等のブロック１１の高さ寸法のほぼ半分の高さとなるように突出する一対の側面支持片２３、２３と、この一対の側面支持片２３、２３と植栽用目地部９を介した部位の前記ベース板２１に保水等のブロック１１、１１の角部の側面を支持できるように、該一対の側面支持片２３、２３と同じ高さに突出形成された角部支持片２４、２４と、前記ベース板２１の他端部の両側部を除く部位で植栽用目地部９を維持できるように、前記角部支持片２４、２４と同じ高さに上方へ突出形成された保水等のブロック１１、１１の端面を支持する端面支持片２５、２５とで構成されている。
【００１８】
上記構成の緑化舗装路１は、敷設された保水等のブロック１１の周囲には５０ｍｍの植栽用目地部９および緑化層１５であるが、敷設された各保水等のブロック１１は目地スペーサー１０によって側面、角部、端面が側面支持片２３、２３、角部支持片２４、２４、端面支持片２５、２５で位置決めされるとともに、ベース板２１上に支持されるため、車が走行しても敷設された保水等のブロック１１が沈下するのを確実に阻止できる。
【００１９】
また、植栽用目地部９に設けられた緑化層１５の植物１４の根はサンドクッション層８、路盤層４へ伸び、サンドクッション層８の保水剤６に含まれている水や、路盤層４の多孔質礫状人工土壌３に含まれている水および貯水手段としての貯水容器５内に貯水された水で育成される。
[発明を実施するための異なる形態]
【００２０】
次に、図１０ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０および図１１に示す本発明を実施するための第２の形態において、前記本発明を実施するための最良の第１の形態と主に異なる点は、砂７だけを用いたサンドクッション層８Ａと、保水剤６が混合された土壌や保水機能を有する土壌３Ａを使用した路盤層４Ａを用いた点で、このように構成した緑化舗装路１Ａにしても、前記本発明を実施するための最良の第１の形態と同様な作用効果が得られる。
【００２２】
図１２ないし図１４に示す本発明を実施するための第３の形態において、前記本発明を実施するための最良の第１の形態と主に異なる点は、防水シート２６を容器状となるように路盤層４に配置した貯水手段２７を用いた点で、このような貯水手段２７を用いて構成した緑化舗装路１Ｂにしても、前記本発明を実施するための最良の第１の形態と同様な作用効果が得られる。
【００２３】
図１５ないし図１９に示す本発明を実施するための第４の形態において、前記本発明を実施するための最良の第１の形態と主に異なる点は、貯水手段としての多数個の貯水容器５を所定間隔となるように路盤層４に配置するとともに、保水等のブロック１１のコーナ部を支持する目地スペーサー１０Ａを用いて保水等のブロック１１を前後左右に並列させた点で、このように構成した緑化舗装路１Ｃにしても、前記本発明を実施するための最良の第１の形態と同様な作用効果が得られるとともに、貯水量が多く、根腐れするのを効率よく防止することができる。
【００２４】
なお、前記本発明の各実施するための形態では、路盤層およびサンドクッション層に保水機能輪持たせるとともに、路盤層の下部に貯水手段としての多数個の貯水容器５や容器状に配置した防水シート２６を用いるものについて説明したが、本発明はこれに限らず、路盤層４、４Ａの上部位置に位置する貯水容器や容器状に配置した防水シートを用い、使用地域や場所に応じて貯水容器や防水シートに排水孔を形成して使用できるようにしてもよい。
また、前記前記本発明の各実施するための形態では、保水等のブロック１１として、保水性を有するものを使用するのはもちろんであるが、コンクリートブロック、天然石で形成したブロック、目地スペーサーを一体形成した合成樹脂材製のブロックを保水等のブロックとして使用してもよい。
【産業上の利用可能性】
【００２５】
本発明は緑化舗装路を設置する産業や、この緑化舗装路に使用する材料や部品を製造する産業で利用される。
【図面の簡単な説明】
【００２６】
【図１】本発明を実施するための最良の第１の形態の平面図。
【図２】図１の２−２線に沿う断面図。
【図３】本発明を実施するための最良の第１の形態の路盤層の説明図。
【図４】本発明を実施するための最良の第１の形態の保水等のブロック層の説明図。
【図５】本発明を実施するための最良の第１の形態の貯水容器の平面図。
【図６】図５の６−６線に沿う断面図。
【図７】本発明を実施するための最良の第１の形態の目地スぺーサーの平面図。
【図８】本発明を実施するための最良の第１の形態の目地スぺーサーの側面図。
【図９】本発明を実施するための最良の第１の形態の目地スぺーサーの正面図。
【図１０】本発明を実施するための第２の形態の平面図。
【図１１】図１０の１１−１１線に沿う断面図。
【図１２】本発明を実施するための第３の形態の平面図。
【図１３】図１２の１３−１３線に沿う断面図。
【図１４】本発明を実施するための第３の形態の貯水手段の説明図。
【図１５】本発明を実施するための第４の形態の平面図。
【図１６】図１５の１６−１６線に沿う断面図。
【図１７】本発明を実施するための第４の形態の貯水手段の説明図。
【図１８】本発明を実施するための第４の形態の目地スぺーサーの平面図。
【図１９】本発明を実施するための第４の形態の目地スぺーサーの正面図。
【符号の説明】
【００２７】
１、１Ａ、１Ｂ、１Ｃ：緑化舗装路、
２：路床、              ３：多孔質礫状人工土壌、
３Ａ：保水機能を有する土壌、
４、４Ａ：路盤層、      ５：貯水手段としての貯水容器、
６：保水剤、            ７：砂、
８、８Ａ：サンドクッション層、
９：植栽用目地部、
１０、１０Ａ：目地スぺーサー、
１１：保水等のブロック、１２：保水等のブロック層、
１３：栽培土、          １４：芝等の植物、
１５：緑化層、          １６：貯水容器本体、
１７：位置決め部材、    １８：補強壁、
１９：係合片、          ２０：係合凹部、
２１：ベース板、        ２２：保水ブロック支持部、
２３：側面支持片、      ２４：角部支持片、
２５：端面支持片、      ２６：防水シート、
２７：貯水手段、        ２８：不織布。
【図１】
2005133458.tif 000003
【図２】
2005133458.tif 000004
【図３】
2005133458.tif 000005
【図４】
2005133458.tif 000006
【図５】
2005133458.tif 000007
【図６】
2005133458.tif 000008
【図７】
2005133458.tif 000009
【図８】
2005133458.tif 000010
【図９】
2005133458.tif 000011
【図１０】
2005133458.tif 000012
【図１１】
2005133458.tif 000013
【図１２】
2005133458.tif 000014
【図１３】
2005133458.tif 000015
【図１４】
2005133458.tif 000016
【図１５】
2005133458.tif 000017
【図１６】
2005133458.tif 000018
【図１７】
2005133458.tif 000019
【図１８】
2005133458.tif 000020
【図１９】
2005133458.tif 000021